(57)【要約】【課題】本発明は、筐体の大型化を防止する電子機器の提供を目的とする。【解決手段】本体２内部にはボス２ｃ，２ｄが形成ヒンジ装置６のブラケット２０はボス２ｃ，２ｄに固定される。ヒンジ装置６のトルク発生機構２５の少なくとも一部およびブラケット２０の後部２０ａは第１のカバー部１１内に位置するように配置される。従って、トルク発生機構２５の少なくとも一部およびブラケット２０の後部２０ａは本体２の後面２ｂに対して相対的に後方に位置することになる。【選択図】　図２
2004145498.tif 000002
【特許請求の範囲】
【請求項１】
後面を有する本体と、
表示部と、
上記表示部を上記本体に回動可能に接続するヒンジ装置と、を具備し、
上記ヒンジ装置の少なくとも一部は上記本体の後面よりも相対的に後方に位置することを特徴とする電子機器。
【請求項２】
上記ヒンジ装置は、上記本体に固定されるブラケットを有し，このブラケットの少なくとも一部は上記後面よりも相対的に後方に位置することを特徴とする請求項１記載の電子機器。
【請求項３】
上記ヒンジ装置は上記表示部の回動の際、トルクを発生させるトルク発生機構を有し、このトルク発生機構の一部は上記後面よりも相対的に後方に位置することを特徴とする請求項１記載の電子機器。
【請求項４】
後面を有する本体と、
表示部と、
上記表示部と上記本体とを連結するとともに、上記表示部を、上記本体に対して閉じる閉位置と、この閉位置より起立される開位置との間で回動させる回動軸と、上記上記表示部が上記開位置に起立された状態で、上記表示部を上記本体に対して旋回させる旋回軸とを有するヒンジ装置と、を具備し、
上記ヒンジ装置の少なくとも一部は上記後面に対して相対的に後方に位置することを特徴とする電子機器。
【請求項５】
上記ヒンジ装置は上記本体に固定されるブラケットを有し，このブラケットの少なくとも一部は上記後面に対して相対的に後方に位置することを特徴とする請求項５記載の電子機器。
【請求項６】
上記本体は、上記ヒンジ装置の上記後面よりも後方に位置する一部を覆うカバーを有することを特徴とする請求項４記載の電子機器。
【発明の詳細な説明】
【０００１】
【発明の属する技術分野】
本発明は、タッチパネルを表示画面に積層した表示パネルが反転可能に設けられた電子機器に関する。
【０００２】
【従来の技術】
電子機器は、年々多様化し、様々な機能を搭載するようになってきている。特に、携帯性に優れた電子機器の１つの形態にノート型パーソナルコンピュータ（以降ノート型ＰＣとする）がある。ノート型ＰＣは、本体と、この上面に露出するキーボードと、本体の一辺とヒンジで結合された表示パネルとを備える。表示パネルは、ヒンジによって、キーボードに覆い被さる位置と本体に対して立て起した位置との間で回動する。
【０００３】
また、電子機器の一つの形態として、表示画面にタッチパネルを積層したノート型ＰＣがある。このノート型ＰＣは、本体の上面に配置されたキーボードを使って入力操作ができるとともに、利用者がペンまたは指でタッチパネルに触れることで、表示画面に表示された情報等に対して入力操作ができる。
【０００４】
このノート型ＰＣにおいて、ヒンジは、表示パネルを立て起す回動軸と、表示パネルを反転させる旋回軸とを備えている。そして、キーボードを使って入力操作される場合、表示パネルは、本体に対して立て起される。タッチパネルのみを使って入力操作される場合、表示パネルは、タッチパネルが露出する前面と反対側の背面がキーボードに向き合うように、反転されて本体の上に重ねられる。（特許文献１参照）
【０００５】
【特許文献１】
特開平９−１８５４３０号公報（第１図、第３図）
【０００６】
【発明が解決しようとする課題】
上記特許文献１に記載のような電子機器においては、旋回軸を有するヒンジ部は通常１つである。また、この旋回ヒンジ部は、本体と表示部との間に配設されるケーブルが挿通されるため管状に形成される。逆に、表示部の開閉を行う回動軸を形成する回動ヒンジ部は通常表示部両端の２箇所に配置される。すなわち、旋回ヒンジは表示部を１箇所で支持するとともに内部にケーブルを挿通する必要性があるため、回動ヒンジ部に比べ大きな構成とされている。そのため筐体は旋回ヒンジを内蔵するために大型化してしまうと言う問題を有する。
【０００７】
そこで本発明は、筐体の大型化を防止する電子機器の提供を目的とする。
【０００８】
【課題を解決するための手段】
上記目的を達成するために、請求項１に係る電子機器は、後面を有する本体と、表示部と、表示部を本体に回動可能に接続するヒンジ装置と、を具備し、ヒンジ装置の少なくとも一部は本体の後面よりも相対的に後方に位置することを特徴とする。
【０００９】
請求項４に係る電子機器は、後面を有する本体と、表示部と、表示部と本体とを連結するとともに、表示部を、本体に対して閉じる閉位置と、この閉位置より起立される開位置との間で回動させる回動軸と、表示部が開位置に起立された状態で、表示部を本体に対して旋回させる旋回軸とを有するヒンジ装置と、を具備し、ヒンジ装置の少なくとも一部は後面に対して相対的に後方に位置することを特徴とする。
【００１０】
このような構成により、筐体の大型化を防止することが可能となる。
【００１１】
【発明の実施の形態】
以下本発明に係る実施の形態をノート型ＰＣに適用し、図面を参照して説明する。
【００１２】
図１は、表示部を旋回中の電子機器の斜視図である。ノート型ＰＣ１は本体２と表示部４とを有している。本体２と表示部４とは後述するヒンジ装置６を介して接続されている。本体２の上面２ａにはキーボード３が設けられている。又上面２ａにはポインティングデバイスであるタッチパッド７が設けられている。表示４には液晶ディスプレイ装置（ＬＣＤ）５が内蔵され、後述するタッチパネル１３が表示部４の前面４ａ方向に露出される。表示部４にはペン収容部８が形成され、タッチパネル１３へのデータ入力に使用するペンが着脱可能に収容されている。このように表示部４はＬＣＤ５を介しての表示およびタッチパネルを介してのデータ入力が可能となっている。
【００１３】
表示部４はヒンジ装置６を介して回動、旋回可能に接続されている。図１に示すように、ヒンジ装置６は回動軸Ｘと旋回軸Ｙとの２つの回転軸を有している。表示部４は回動軸Ｘを中心に閉位置と開位置との間で回動可能である。さらに表示部４は、回動軸Ｘを介して開位置に回動され、開位置において、旋回軸Ｙを中心に本体２に対して水平方向に旋回可能となっている。
【００１４】
図２は、表示部を閉じた状態を示す電子機器の斜視図である。本体２には表示部４が閉じられている。この場合通常どおり、表示部４の背面４ａが露出されている状態である。
【００１５】
ヒンジ装置６は第１のカバー部１１と第２のカバー１２とでカバーされている。表示部４の下端中央には、第２のカバーを収容するための切欠き１０が形成される。第１のカバー部１１は本体２の後面２ｂよりも後方に突出している。
【００１６】
図３は、表示部を旋回し、表示画面を露出させた状態で閉じられた状態を示す電子機器の斜視図である。
【００１７】
表示部４はまず、図１に示す回動軸Ｘを中心に開位置に回動される。この状態においては表示部４の前面４ａは前方を向いている。次に、旋回軸Ｙを中心に表示部４を本体２に対して水平方向に旋回され、表示部４の前面４ａを後方に向ける。この状態で表示部４を、回動軸Ｘを中心に閉位置に回動する。この一連の動作により、表示部４の前面４ａが上方に向けられた状態で閉じられる。この状態でユーザはペン９によりタッチパネル１３へのデータ入力が可能となる。なお、この状態では本体２の上面２ａに設けられたタッチパッド７は使用できない。
【００１８】
図４は、表示部を閉じた状態の電子機器を示す側面図である。図５は、表示部を閉じた状態の電子機器を示す平面図である。
【００１９】
図４および図５に示すように本体２の後面２ｂよりも第１のカバー部１１は後方に突出している。さらに第１のカバー部１１のほぼ中央より上方に突出した状態で第２のカバー部１２が設けられる。
【００２０】
図６は、前方より見たヒンジ装置の斜視図である。図７は、後方より見たヒンジ装置の斜視図である。図８は、ヒンジ装置の上面図である。ヒンジ装置６は金属製の材料にて形成されている。
【００２１】
ヒンジ装置６は旋回軸Ｙとなる軸２２を有している。軸２２の内部には中空状の形成されたケーブル挿通孔２２ａが形成される。すなわち軸２２は円管状に形成されている。
【００２２】
軸２２の下端には本体側ブラケット２０が取り付けられる。ブラケット２０は本体２の後部２０ａおよび前部２０ｂが一体形成される。ブラケット２０には本体２にねじ止めされる複数の孔が形成されている。
【００２３】
軸２２の上端にはアーム部２１が軸２２に対して回動可能に取り付けられる。アーム部２１が軸２２に対して回動する際、トルクを発生させるためのトルク発生機構２５が軸２２とアーム部２１との間に介在される。アーム部２１は左右方向に伸びる一対のアーム２１ａ，２１ｂを一体に有している。アーム２１ａ，２１ｂのそれぞれの一端は回動軸Ｘとして機能する軸２６ａ，２６ｂが一体形成される。軸２６ａ，２６ｂは一直線上に位置している。軸２６ａ，２６ｂにはそれぞれブラケット２４ａ，２４ｂが回動可能に取り付けられる。軸２６ａ，２６ｂ上において、ブラケット２４ａ，２４ｂおよび軸２６ａ，２６ｂとの間にそれぞれトルク発生部２３ａ，２３ｂが介在される。ブラケット２４ａ，２４ｂはそれぞれ表示部４内に固定される。
【００２４】
図９は、ヒンジ装置と筐体との関係を示す平面図である。本体２の後面２よりも第１のカバー部１１が後方に突出している。ヒンジ装置６はブラケット２０の後部２０ａが第１のカバー１１に対応するように配置される。すなわち，ヒンジ装置６のブラケット２０の後部２０ａが本体２の後面２ｂよりも後方に位置するように配置される。従って、旋回軸Ｙおよび回動軸Ｘは後面２ｂに接近して位置されるようになる。
【００２５】
図１０は、図５における断面線Ｚ−Ｚ’における断面図である。なお、図１０において破線Ａは本体２の後面２ｂの位置を示している。
【００２６】
図１０に示すように、本体２内部にはボス２ｃ，２ｄが形成される。ボス２ｃにはブラケット２０の後部２０ａがねじ（図示せず）により固定される。又ボス２ｄにはブラケット２０の前部２０ｂがねじ（図示せず）により固定される。このブラケット２０を本体２に固定することでヒンジ装置６を本体に固定することができる。取り付けられたヒンジ装置６に第２のカバー部１２を取り付けた際、第２のカバー部１２の中心と軸２２の中心とは対向している。軸２２には規制部材２２ｂ，２２ｃが形成される。規制部材２２ｂ、２２ｃの何れか一方は軸２２に一体形成されていても良い。ヒンジ装置６のトルク発生機構２５は、規制部材２２ｂとブラケット２０との間に設けられる。トルク発生機構２５は複数の平座金や波形座金を組み合わせて形成されている。
【００２７】
図１０に示すように、トルク発生機構２５の少なくとも一部（例えば端部）およびブラケット２０の後部２０ａは第１のカバー部１１内に位置するように配置される。従って、トルク発生機構２５の少なくとも一部およびブラケット２０の後部２０ａは本体２の後面２ｂに対して相対的に後方に位置することになる。すなわち、トルク発生機構２５の少なくとも一部およびブラケット２０の後部２０ａは、図１０中の破線Ａよりも後方に位置することになる。
【００２８】
このような構成において、本実施の形態においては、本体２の後面２ｂよりもヒンジ装置６の一部を後方に位置するように配置し、この後方に位置するヒンジ装置６の一部のみをカバーする構成とすることで、本体２の平面寸法を必要以上に大きくすること無く電子機器を構成することが可能となる。
【００２９】
本発明ではその主旨を逸脱しない範囲であれば、上記の実施形態に限定されるものではない。そして、携帯電話、ＰＤＡ、電子手帳等に広く適用できるものである。
【００３０】
【発明の効果】
以上詳述した発明によれば、筐体の大型化を防止することが可能となる。
【図面の簡単な説明】
【図１】表示部を旋回中の電子機器の斜視図。
【図２】表示部を閉じた状態を示す電子機器の斜視図。
【図３】表示部を旋回し、表示画面を露出させた上体で閉じられた状態を示す電子機器の斜視図。
【図４】表示部を閉じた状態の電子機器を示す側面図。
【図５】表示部を閉じた状態の電子機器を示す平面図。
【図６】前方より見たヒンジ装置の斜視図。
【図７】後方より見たヒンジ装置の斜視図。
【図８】ヒンジ装置の上面図。
【図９】ヒンジ装置と筐体との関係を示す平面図。
【図１０】図５における断面線Ｚ−Ｚ’における断面図。
【符号の説明】
１・・・ＰＣ、２・・・本体、２ａ・・・上面、２ｃ，２ｄ・・・ボス、３・・・キーボード、４・・・表示部、５・・・ＬＣＤ、６・・・ヒンジ装置、７・・・タッチパッド、８・・・ペン収容部、９・・・ペン、１０・・・切欠き、１１・・・第１のカバー部、１２・・・第２のカバー部、１３・・・タッチパネル、２０・・・ブラケット、２０ａ・・・後部、２０ｂ・・・前部、２１・・・アーム部、２１ａ，２１ｂ・・・アーム、２２、２６ａ，２６ｂ・・・軸、２２ａ・・・ケーブル挿通孔、２４ａ，２４ｂ・・・ブラケット、２５・・・トルク発生機構
【図１】
2004145498.tif 000003
【図２】
2004145498.tif 000004
【図３】
2004145498.tif 000005
【図４】
2004145498.tif 000006
【図５】
2004145498.tif 000007
【図６】
2004145498.tif 000008
【図７】
2004145498.tif 000009
【図８】
2004145498.tif 000010
【図９】
2004145498.tif 000011
【図１０】
2004145498.tif 000012